(57)【特許請求の範囲】
【請求項１】
ワイヤレス通信を送信および受信するように設定された通信回路、ならびに前記通信回路に通信連結された処理回路を含む通信デバイスによって、複数のサブフレームに渡るダウンリンク送信を受信するために実施される方法であって、前記通信回路と処理回路とによって、
反復インデックスを含む制御情報を受信することと、
複数のセットのうちの１つを指示するためのセット指標を受信することと
を含み、それぞれのセットは複数のサブフレームの値を含み、
前記ダウンリンク送信を搬送するために使用されるサブフレームの数は、前記サブフレームの値によって指示され、前記サブフレームの値は、前記指示されたセット内部の前記反復インデックスによって指示され、
前記反復インデックスを前記受信することとは別に前記セット指標を受信することをさらに含み、および／または、前記セット指標を受信することは、前記セット指標のシグナリングを受信することを含み、ならびに、
前記セット指標のシグナリングを前記受信することは、前記反復インデックスを前記受信することより頻度が少ない、方法。
【請求項２】
前記ダウンリンク送信は、物理ダウンリンク共有チャネル（ＰＤＳＣＨ）上にあり、または前記ダウンリンク送信は、トランスポートブロックである、請求項１に記載の方法。
【請求項３】
前記サブフレームの値は、前記ダウンリンク送信を反復またはバンドリングを介して搬送するために使用されるサブフレームの数を指示する、請求項１または２に記載の方法。
【請求項４】
前記セット指標を受信することは、前記セット指標をより高い層のシグナリングから受信することを含み、任意選択で、前記セット指標の前記より高い層のシグナリングは、ＲＲＣシグナリングである、請求項１から３のいずれか一項に記載の方法。
【請求項５】
前記制御情報は、変調および符号化方式を指示することを含む第１のフィールド、ならびに前記反復インデックスを含む第２のフィールドを含む、請求項１から４のいずれか一項に記載の方法。
【請求項６】
前記制御情報は、ダウンリンク制御情報（ＤＣＩ）である、請求項１から５のいずれか一項に記載の方法。
【請求項７】
前記通信デバイスは、低減された無線周波数（ＲＦ）帯域幅で送信および／もしくは受信し、または前記通信デバイスは、低コスト（ＬＣ）もしくはカバレッジ拡張型（ＣＥ）の通信デバイスであり、ならびに／あるいは、前記ダウンリンク送信を、前記ダウンリンク送信を搬送するために使用されるサブフレームの数に従って復号することをさらに含む、請求項１から６のいずれか一項に記載の方法。
【請求項８】
ワイヤレス通信を送信および受信するように設定された通信回路、ならびに前記通信回路に通信連結された処理回路を含む通信デバイスであって、前記通信回路および処理回路は、複数のサブフレームに渡るダウンリンク送信を、
反復インデックスを含む制御情報を受信することと、
複数のセットのうちの１つを指示するためのセット指標を受信することと
によって受信するように設定され、それぞれのセットは複数のサブフレームの値を含み、
前記ダウンリンク送信を搬送するために使用されるサブフレームの数は、前記サブフレームの値によって指示され、前記サブフレームの値は、前記指示されたセット内部の前記反復インデックスによって指示され、
前記反復インデックスを前記受信することとは別に前記セット指標を受信することをさらに含み、および／または、前記セット指標を受信することは、前記セット指標のシグナリングを受信することを含み、ならびに、
前記セット指標のシグナリングを前記受信することは、前記反復インデックスを前記受信することより頻度が少ない、通信デバイス。
【請求項９】
前記通信回路および処理回路は、前記ダウンリンク送信を物理ダウンリンク共有チャネル（ＰＤＳＣＨ）上で受信するように設定され、または前記ダウンリンク送信は、トランスポートブロックである、請求項８に記載の通信デバイス。
【請求項１０】
前記サブフレームの値は、反復またはバンドリングを介して前記ダウンリンク送信を搬送するために使用されるサブフレームの数を指示する、請求項８または９に記載の通信デバイス。
【請求項１１】
前記制御情報は、ダウンリンク制御情報（ＤＣＩ）である、請求項８から１０のいずれか一項に記載の通信デバイス。
【請求項１２】
前記通信回路は、低減された無線周波数（ＲＦ）帯域幅で送信および／もしくは受信するように設定され、または前記通信デバイスは、低コスト（ＬＣ）もしくはカバレッジ拡張型（ＣＥ）の通信デバイスであり、ならびに／あるいは、前記処理回路は、前記ダウンリンク送信を、前記ダウンリンク送信を搬送するために使用されるサブフレームの数に従って復号するように設定される、請求項８から１１のいずれか一項に記載の通信デバイス。
【請求項１３】
ワイヤレス通信を送信および受信するように設定された通信回路、ならびに前記通信回路に通信連結された処理回路を含む通信デバイスにおいて、複数のサブフレームに渡るダウンリンク送信を送信するための方法であって、前記処理回路は、前記通信回路を介して、
反復インデックスを含む制御情報を送信することと、
複数のセットのうちの１つを指示するためのセット指標を送信することと
を含み、それぞれのセットは複数のサブフレームの値を含み、
前記ダウンリンク送信を搬送するために使用されるサブフレームの数は、前記サブフレームの値によって指示され、前記サブフレームの値は、前記指示されたセット内部の前記反復インデックスによって指示され、
前記反復インデックスを前記送信することとは別に前記セット指標を送信することをさらに含み、および／または、前記セット指標を送信することは、前記セット指標のシグナリングを、前記反復インデックスを前記送信することより少ない頻度で送信することを含み、および／または、前記セット指標を送信することは、前記セット指標を、より高い層のシグナリングとして送信することを含む、方法。
【請求項１４】
前記通信デバイスは基地局である、請求項１３に記載の方法。
【請求項１５】
前記制御情報を送信することは、変調および符号化方式を指示することを含む第１のフィールド、ならびに前記反復インデックスを含む第２のフィールドを送信することを含む、請求項１３または１４に記載の方法。
【請求項１６】
ワイヤレス通信を送信および受信するように設定された通信回路、ならびに前記通信回路に通信連結された処理回路を含む通信デバイスであって、前記処理回路は、前記通信回路を介して、複数のサブフレームに渡るダウンリンク送信を送信すること、ならびに前記通信回路を介して、反復インデックスを含む制御情報および複数のセットのうちの１つを指示するためのセット指標を含むシグナリングを送信することを行うように設定され、それぞれのセットは複数のサブフレームの値を含み、前記ダウンリンク送信を搬送するために使用されるサブフレームの数は、前記サブフレームの値によって指示され、前記サブフレームの値は、前記指示されたセットの内部の前記反復インデックスによって指示され、
前記処理回路は、前記反復インデックスとは別に前記セット指標を送信するように設定され、および／または、前記処理回路は、前記セット指標を含む前記シグナリングを、前記反復インデックスを含む前記シグナリングを前記送信することより少ない頻度で送信するように設定され、および／または、前記処理回路は、前記セット指標を、より高い層のシグナリングとして送信するように設定される、通信デバイス。
【請求項１７】
前記通信デバイスは基地局である、請求項１６に記載の通信デバイス。
【請求項１８】
前記処理回路は、変調および符号化方式を指示することを含む第１のフィールドを含む前記制御情報、ならびに前記反復インデックスを含む第２のフィールドを送信するように設定される、請求項１６または１７に記載の通信デバイス。
【請求項１９】
デバイスの少なくとも１つのプロセッサによって実行されるとき、前記デバイスに請求項１から７または請求項１３から１５のいずれか一項に記載の方法を行わせる命令を含むコンピュータプログラムを収めるキャリアであって、電子信号、光信号、または無線信号のうちの１つである、キャリア。
【請求項２０】
デバイスの少なくとも１つのプロセッサによって実行されるとき、前記デバイスに請求項１から７または請求項１３から１５のいずれか一項に記載の方法を行わせる命令を含むコンピュータプログラム。
【発明の詳細な説明】
【技術分野】
【０００１】
本出願は、一般に、トランスポートブロックをワイヤレスネットワーク内で通信することに関し、詳細には、サブフレームの数によって、反復（repetition）またはバンドリングを介して搬送されるトランスポートブロックを符号化することおよび復号することに関する。
【背景技術】
【０００２】
通信デバイスは、ワイヤレスネットワークで通信するために１つまたは複数のインターフェースを用いることがある。このような通信デバイスは、多種多様な通信を送信および受信することがある。これらの通信をサポートするプロトコルは、人間によって生成および／または消費されるデータの交換をサポートすることにしばしば向けられる。しかし、人間のデータ通信をサポートする観点から開発されたプロトコルは、マシン間の通信をサポートするのにあまり適さないことがある。
【０００３】
例えば、マシン型通信（ＭＴＣ）はオペレータにとって重要な収入源であることがあり、オペレータの観点から巨大な潜在力を有していることがある。さらに、例えば、オペレータが、ＭＴＣの効率的なサポートのための競争力のある無線アクセス技術としての３ＧＰＰ  ＬＴＥなどの、既に導入された無線アクセス技術を使用してＭＴＣのユーザ機器（ＵＥ）をサーブすることが効率的であることがある。ＭＴＣのＵＥのコストを下げることは、「Internet of Things」の概念の実装にとって重要なイネーブラでもあり得る。例えば、多くの用途に対して使用されるＭＴＣのＵＥは、稼働中の低消費電力を要求することがあり、低頻度の、小規模なバースト送信を使用して通信することを期待されることがある。加えて、規定されたＬＴＥセルのカバレッジフットプリントに比べてカバレッジ拡張を要求することがある、建物の内側深くに導入されたデバイスの、マシンツーマシン（Ｍ２Ｍ）のユースケースに対するかなりの市場が存在し得る。
【０００４】
３ＧＰＰ  ＬＴＥリリース１２は、長いバッテリー寿命を可能にするＵＥの電力節約モードを規定し、低減されたモデムの複雑性を可能にする新しいＵＥのカテゴリを規定する。３ＧＰＰ  ＬＴＥの後続のリリースは、ＵＥのコストをさらに低減し、カバレッジ拡張を提供し得る。これらの特性にもかかわらず、改善されたワイヤレス通信メカニズムは、幅広い様々なデバイス、およびこれらと交換される通信をサポートすることが依然として必要とされている。
【発明の概要】
【０００５】
本開示の第１の態様は、通信デバイスによって、複数のサブフレームに渡るダウンリンク送信を受信するために実施される方法を提供する。方法は、反復インデックスを含む制御情報を受信することと、複数のセットのうちの１つを指示するためのセット指標を受信することとを含み、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【０００６】
このようにダウンリンク送信は、複数のサブフレームで受信され得る。
【０００７】
いくつかの例において、ダウンリンク送信は、物理ダウンリンク共有チャネル（ＰＤＳＣＨ）上にあり、またはダウンリンク送信は、トランスポートブロックである。
【０００８】
いくつかの例において、サブフレームの値は、ダウンリンク送信を反復またはバンドリングを介して搬送するために使用されるサブフレームの数を指示する。
【０００９】
いくつかの例において、方法は、反復インデックスを受信することとは別にセット指標を受信することをさらに含む。
【００１０】
いくつかの例において、セット指標を受信することは、セット指標のシグナリングを受信することを含み、セット指標のシグナリングを受信することは、反復インデックスを受信することより頻度が少ない。
【００１１】
いくつかの例において、セット指標を受信することは、セット指標をより高い層のシグナリングから受信することを含む。
【００１２】
いくつかの例において、セット指標のより高い層のシグナリングは、ＲＲＣシグナリングである。
【００１３】
いくつかの例において、制御情報は、変調および符号化方式を指示することを含む第１のフィールドを含み、第２のフィールドは、反復インデックスを含む。
【００１４】
いくつかの例において、制御情報は、ダウンリンク制御情報（ＤＣＩ）である。
【００１５】
いくつかの例において、通信デバイスは、低減された無線周波数（ＲＦ）帯域幅で送信および／もしくは受信し、または通信デバイスは、低コスト（ＬＣ）もしくはカバレッジ拡張型（ＣＥ）の通信デバイスである。
【００１６】
いくつかの例において、方法は、ダウンリンク送信を、ダウンリンク送信を搬送するために使用されるサブフレームの数に従って復号することをさらに含む。
【００１７】
本開示の第２の態様は、ワイヤレス通信を送信および受信するように設定された通信回路、ならびに通信回路に通信連結された処理回路を含む通信デバイスを提供する。通信回路および処理回路は、複数のサブフレームに渡るダウンリンク送信を、反復インデックスを含む制御情報を受信することと、複数のセットのうちの１つを指示するためのセット指標を受信することとによって受信するように設定され、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【００１８】
いくつかの例において、通信回路および処理回路は、ダウンリンク送信を物理ダウンリンク共有チャネル（ＰＤＳＣＨ）上で受信するように設定され、またはダウンリンク送信は、トランスポートブロックである。
【００１９】
いくつかの例において、サブフレームの値は、反復またはバンドリングを介してダウンリンク送信を搬送するために使用されるサブフレームの数を指示する。
【００２０】
いくつかの例において、制御情報は、ダウンリンク制御情報（ＤＣＩ）である。
【００２１】
いくつかの例において、通信回路は、低減された無線周波数（ＲＦ）帯域幅で送信および／もしくは受信するように設定され、または通信デバイスは、低コスト（ＬＣ）もしくはカバレッジ拡張型（ＣＥ）の通信デバイスである。
【００２２】
いくつかの例において、処理回路は、ダウンリンク送信を、ダウンリンク送信を搬送するために使用されるサブフレームの数に従って復号するように設定される。
【００２３】
本開示の第３の態様は、通信デバイスにおいて、複数のサブフレームに渡るダウンリンク送信を送信するための方法を提供する。方法は、反復インデックスを含む制御情報を送信することと、複数のセットのうちの１つを指示するためのセット指標を送信することとを含み、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【００２４】
いくつかの例において、通信デバイスは基地局である。
【００２５】
いくつかの例において、方法は、反復インデックスを送信することとは別にセット指標を送信することをさらに含む。
【００２６】
いくつかの例において、セット指標を送信することは、セット指標のシグナリングを、反復インデックスを送信することより少ない頻度で送信することを含む。
【００２７】
いくつかの例において、セット指標を送信することは、セット指標を、より高い層のシグナリングとして送信することを含む。
【００２８】
いくつかの例において、制御情報を送信することは、変調および符号化方式を指示することを含む第１のフィールドを送信することを含み、第２のフィールドは、反復インデックスを含む。
【００２９】
本開示の第４の態様は、ワイヤレス通信を送信および受信するように設定された通信回路、ならびに通信回路に通信連結された処理回路を含む通信デバイスを提供する。処理回路は、通信回路を介して、複数のサブフレームに渡るダウンリンク送信を送信すること、ならびに通信回路を介して、反復インデックスを含む制御情報および複数のセットのうちの１つを指示するためのセット指標を含むシグナリングを送信することを行うように設定され、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【００３０】
いくつかの例において、通信デバイスは基地局である。
【００３１】
いくつかの例において、処理回路は、反復インデックスとは別にセット指標を送信するように設定される。
【００３２】
いくつかの例において、処理回路は、セット指標を含むシグナリングを、反復インデックスを含むシグナリングを送信することより少ない頻度で送信するように設定される。
【００３３】
いくつかの例において、処理回路は、セット指標を、より高い層のシグナリングとして送信するように設定される。
【００３４】
いくつかの例において、処理回路は、変調および符号化方式を指示することを含む第１のフィールドを含む制御情報、ならびに反復インデックスを含む第２のフィールドを送信するように設定される。
【００３５】
本開示のさらなる態様は、デバイスの少なくとも１つのプロセッサによって実行されるとき、デバイスにいずれかの例に記載の方法を行わせる命令を含むコンピュータプログラムを提供する。
【００３６】
本開示のさらなる態様は、コンピュータプログラムを収めるキャリアを提供し、キャリアは、電子信号、光信号、無線信号、またはコンピュータ可読ストレージ媒体のうちの１つである。
【００３７】
本開示の実施形態は、添付の図面を参照しながら例としてのみ、これから説明される。
【図面の簡単な説明】
【００３８】
【図１】本開示の例によるネットワーク例を示す図である。
【図２】本開示の例による通信デバイスを示す図である。
【図３】本開示の例による通信デバイスの方法を示す図である。
【図４】本開示の例によるさらなる通信デバイスの方法を示す図である。
【図５】本開示のさらなる例による通信デバイスの方法を示す図である。
【図６】本開示のさらなる例によるさらなる通信デバイスの方法を示す図である。
【発明を実施するための形態】
【００３９】
簡潔さおよび例証する目的のために、本開示は主にその例示的な実施形態を参照することによって説明される。以下の説明において、非常に多くの具体的詳細が本発明の完全な理解を提供するために示される。しかし、本発明はこれらの具体的詳細に限定することなく実践され得ることが当業者には容易に明白であろう。本説明において、よく知られた方法および構造は、本発明を必要以上にあいまいにしないように詳細に説明されなかった。例えば、本開示は本明細書における通信デバイスを、しばしばＵＥと呼ぶが、他のワイヤレス通信デバイスが１つまたは複数の実施形態に従って使用されてよい。
【００４０】
図１は、送信、または反復もしくはバンドリングを介した送信のために使用されるサブフレームの数を指示するシグナリング情報に関する実施形態における通信ネットワーク例１００を示す。態様は、反復またはバンドリングを介して送信を搬送するために使用されるサブフレームの数を決定することに関する。送信は、反復またはバンドリングを介して複数のサブフレームに渡って搬送されるトランスポートブロックであってよい。通信ネットワーク１００は、例えば、ＬＴＥ、ＬＴＥアドバンスト、ＷＣＤＭＡ、ＧＳＭ、または任意の３ＧＰＰもしくは他の無線アクセス技術などの１つまたは複数の無線アクセス技術に適用してよい。
【００４１】
通信ネットワーク１００は、例えば、セル１０１をサービングする基地局１０３などのネットワーク通信デバイスを含む。基地局１０３は、使用される技術および用語に応じて、無線基地局、ノードＢ、発展型ノードＢ（ｅＮＢ）などの基地局、またはセル１０１内に存在する１つもしくは複数のユーザ機器１０９と、無線キャリア１０２で通信できる任意の他のネットワークユニットであってよい。無線キャリア１０２は、キャリア、無線チャネル、チャネル、通信リンク、無線リンク、またはリンクと呼ばれてもよい。
【００４２】
セル１０１の内部に存在し、基地局１０３によってサーブされるユーザ機器１０５は、このケースでは、基地局１０３と無線キャリア１０２で通信することができる。データストリームは、基地局１０３とユーザ機器１０９との間を無線チャネル１０２で通信される。ユーザ機器は、あるいは通信デバイスと呼ばれてよい。
【００４３】
１つまたは複数の実施形態によれば、通信デバイスは、低減された無線周波数（ＲＦ）帯域幅で送信および／または受信してよい。例えば、通信デバイスは、ベースバンド帯域幅とは異なるＲＦを使用して送信および／または受信してよい。さらに、通信デバイスは、サブフレームに渡る反復を許可する変調および符号化方式（ＭＣＳ）の決定を行ってよい。このように、１つまたは複数の実施形態によれば、ＭＣＳの決定および移送ブロックサイズ（ＴＢＳ）の決定方法は、既存のシステム上で改善されることがある。例えば、ダウンリンクおよびアップリンクにおける１．４ＭＨｚの低減されたＵＥのＲＦ帯域幅に対するサポートは、任意のシステム帯域幅の内部に導入されてよい。さらに、１つまたは複数の実施形態は、サブフレームに渡る反復またはバンドリングを使用してトランスポートブロックの受信を可能にする。１つまたは複数の実施形態によれば、この低減されたＵＥのＲＦ帯域幅のサポートの導入は、ＵＥのコストにおける低減を可能にし、低コスト（ＬＣ）およびカバレッジ拡張型（ＣＥ）のＵＥに特に関係があることがある。１つまたは複数の実施形態は、ワイヤレスネットワーク内のワイヤレスデバイス間のトランスポートブロックの交換をサポートするソリューションを一般に議論してよい。通信デバイスは、例えば、ＭＴＣ  ＵＥであってよい。１つまたは複数の実施形態は、加えてまたはあるいは、利用可能なより広いシステム帯域幅を有するロングタームエボリューション（ＬＴＥ）システムにおいて、最大で１．４ＭＨｚの無線周波数（ＲＦ）帯域幅に制限されることがある通信デバイスを含んでよい。
【００４４】
トランスポートブロックを通信することは、変調および符号化方式（ＭＣＳ）の決定を要求することがある。トランスポートブロックが反復またはバンドリングを介していくつものサブフレームに渡って搬送されないとき、受信するＵＥは、ダウンリンク制御情報（ＤＣＩ）巡回冗長検査（ＣＲＣ）が、ページング無線ネットワーク一時識別子（Ｐ−ＲＮＴＩ）、ランダムアクセスＲＮＴＩ（ＲＡ−ＲＮＴＩ）、またはシステム情報ＲＮＴＩ（ＳＩ−ＲＮＴＩ）によってスクランブルされる場合、２の変調次数（Ｑｍ）を使用してよい。もしそうでなければ、高次変調２５６直角位相振幅変調（ＱＡＭ）が可能でないとき、通信デバイスは、以下のテーブル１などのテーブルを使用して、例えば、物理ダウンリンク共有チャネルにおいて使用される変調次数（Ｑｍ）を決定してよい。テーブル１は、物理ダウンリンク共有チャネル（ＰＤＳＣＨ）に対する変調およびＴＢＳインデックスのテーブルを示す。
【００４５】
０≦ＩＭＣＳ≦２８に対するトランスポートブロックサイズ（ＴＢＳ）の決定のために、通信デバイスは、ＩＭＣＳおよびテーブル１を使用してＴＢＳインデックス（ＩＴＢＳ）を最初に決定してよい。２層以上の空間多重化にマップされないトランスポートブロックに対して、ＴＢＳは、テーブル２内の（ＩＴＢＳ、ＮＰＲＢ）のエントリによって与えられてよい。テーブル２は、ＮＰＲＢ≦６ＰＲＢの場合のトランスポートブロックサイズのテーブル（大きさ３４ｘ１１０）を示す。
0006559256.tif 000002
0006559256.tif 000003
【００４６】
本開示の１つまたは複数の実施形態は、方法、デバイス、システム、およびコンピュータプログラム製品を含み、例えば、ＬＴＥ通信に対するＭＣＳの決定およびＴＢＳの決定を提供する。例えば、実施形態は、既存のＬＴＥリリース１３のＬＣ／ＣＥのＵＥに対する改善を含んでよい。例えば、数個のサブフレームに渡る反復またはバンドリングがサポートされ得る、ＬＣ／ＣＥのＵＥに対する１つまたは複数のリンク適応メカニズム。例えば、１つまたは複数の実施形態は、広い範囲の信号対干渉および雑音比（ＳＩＮＲ）の条件に渡るＵＥのオペレーションをサポートしてよい。例えば、高ＳＩＮＲの条件において、ＵＥは変調レベルを６４ＱＡＭまで使用してよく、サブフレームに渡る反復／バンドリングを要求しない。さらなる例に関して、中ＳＩＮＲの条件において、ＵＥは６４ＱＡＭのような高レベル変調を利用できないことがあり（すなわち、４相位相変調（ＱＰＳＫ）および１６ＱＡＭのような低レベル変調だけを使用し）、サブフレームに渡る少数の充満／バンドリングを要求することがある。さらなる例に関して、低ＳＩＮＲの条件において、ＵＥは最低レベル変調（例えば、ＱＰＳＫ）だけを使用することがあり、サブフレームに渡る多数の反復／バンドリングを要求する。
【００４７】
１つまたは複数の実施形態は、サブフレームに渡る複数の反復が低コスト（ＬＣ）およびカバレッジ拡張型（ＣＥ）のＵＥに必要である通信デバイスを伴ってよい。反復の数は、通常のセル端より１５ｄＢ低いＳＩＮＲで到達するために、例えば、約３００サブフレームまでであってよい。これは、通常のカバレッジ内のＵＥに対して提供することが有利なこともあり、この場合ＵＥは、レガシーシステム内のような類似のＭＣＳテーブルおよびＴＢＳの決定メカニズムを使用する必要がある。本明細書で提案されたようなこのような様々なリンク適応方法は、｛ＴＢＳ，変調次数，符号化率｝の広い範囲の組合せを提供するのに柔軟であってよく、ここで符号化率は、サブフレーム内部のパラメータだけでなく、サブフレームに渡る反復／バンドリングの数も含む。ここで反復は、サブフレームからサブフレームへの同じトランスポートブロック（ＴＢ）と関連付けられたコードビットの単純な重複を意味する一方、バンドリングは、同じトランスポートブロック（ＴＢ）と関連付けられたコードビットが、レートマッチングメカニズムのためにサブフレームからサブフレームへと変化することがあることを意味する。
【００４８】
ＬＣ／ＣＥのＵＥのための、本明細書で説明されたＭＣＳおよびＴＢＳの決定方法のうちの１つまたは複数は、以下のリリース１３のＭＴＣの条件、すなわち、（ａ）最大値送信および受信帯域幅は１．４ＭＨｚ（または６つの物理リソースブロック（ＰＲＢ））であってよいこと、（ｂ）ＵＥ１つ当たりの最大値ＴＢＳは、およそ１０００ビットであることがあるＰＤＳＣＨ内で受信することを要求されてよいこと、（ｃ）多数の反復が必要とされる場合、反復またはバンドリングに必要とされるサブフレームの数を低減するためにより多くのＰＲＢ（例えば、６ＰＲＢ）を使用することが好ましいことがあることを満たし得る。
【００４９】
１つの実施形態によれば、第１および第２（すなわち、２つの）のＤＣＩフィールドは、拡張物理ダウンリンク制御チャネルによって規定および搬送される。ＤＣＩフィールドのうちの１つは、ＭＣＳインデックスＩＭＣＳを提供する５ビットのＭＣＳおよび冗長バージョンフィールドであってよい。ＩＭＣＳを使用して、変調次数ＱｍおよびＴＢＳインデックスＩＴＢＳは探索される。他のフィールドは、（サブフレームのインデックスを互い違いにコールされる）反復インデックスであってよい。反復（すなわち、サブフレーム）インデックスは、任意選択でよい。反復インデックスがＤＣＩ内に存在しないとき、反復／バンドリングは、サブフレームに渡って行われない（すなわち、Ｎｒｅｐ，ｐｄｓｃｈ＝１）であることを意味し得る。Ｎｒｅｐ，ｐｄｓｃｈ，ｉ＝１であるとき、ＰＤＳＣＨは、単一のサブフレームの内部だけで送信される（すなわち、サブフレームに渡る反復はない）ことを意味し得る。この反復インデックスフィールドがＤＣＩ内に存在するとき、反復インデックスＩｒｅｐ，ｐｄｓｃｈは、ＰＤＳＣＨ反復の数をテーブルを使用して探索するために使用されてよい。例として、２ビットの反復インデックスＩｒｅｐ，ｐｄｓｃｈおよびテーブルは、テーブル３に示される。テーブル３は、ＰＤＳＣＨに対する反復（すなわち、サブフレーム）テーブルを示す。このテーブルにおいて、｛Ｎｒｅｐ，ｐｄｓｃｈ，０，Ｎｒｅｐ，ｐｄｓｃｈ，１，Ｎｒｅｐ，ｐｄｓｃｈ，２，Ｎｒｅｐ，ｐｄｓｃｈ，３｝は、所与のＰＤＳＣＨ送信を反復またはバンドリングを介して搬送するために使用されるサブフレームの数を指示する整数（≧１）のセットである。いくつかの例において、反復はセットとセット内部のインデックスとの組合せによって指示される。セットはインデックスとは別に、例えば、より少ない頻度で信号で送られてよい。セットＳｒｅｐ＝｛Ｎｒｅｐ，ｐｄｓｃｈ，ｉ｝、ｉ＝０、１、２、３は、より高い層のシグナリング（例えば、ＲＲＣシグナリング）によって提供されてよい。セットは半静的に信号で送られてよい。Ｓｒｅｐの数個のセットは、例えば、カバレッジ拡張のレベルにつき１つ、規定されてよい。より高い層のシグナリング（例えば、ＲＲＣ信号）は、ｊ、すなわち、テーブル１をＩｒｅｐ，ｐｄｓｃｈで探索するときにどのセットＳｒｅｐ（ｊ）が使用されるべきかを指示してよい。例えば、
中〜高ＳＩＮＲを伴うＵＥ、例えば、セル端における通常コストを伴うＵＥに対するＳｒｅｐ（０）＝｛１，２，３，４｝、
中〜低ＳＩＮＲを伴うＵＥ、例えば、３〜５ｄＢのカバレッジ拡張を伴うＵＥに対するＳｒｅｐ（１）＝｛５，１０，１５，２０｝、
低ＳＩＮＲを伴うＵＥ、例えば、５〜１０ｄＢのカバレッジ拡張を伴うＵＥに対するＳｒｅｐ（２）＝｛１０，２０，３０，４０｝、
超低ＳＩＮＲを伴うＵＥ、例えば、１０〜１５ｄＢのカバレッジ拡張を伴うＵＥに対するＳｒｅｐ（３）＝｛４０，１００，１６０，２４０｝
である。
【００５０】
セットＳｒｅｐ（ｊ）は、ＰＤＳＣＨ送信のために具体的に提供されてよい。あるいは、セットＳｒｅｐ（ｊ）は、例えば、ＥＰＤＣＣＨに固有の反復レベル（例えば、ＥＰＤＣＣＨが使用するべき反復レベル）のセットを介して、暗黙のうちに提供されてよい。
【００５１】
１つまたは複数の実施形態によれば、反復インデックスフィールドの使用は、比較的より大きいＤＣＩサイズになる。
0006559256.tif 000004
【００５２】
ＰＤＳＣＨ送信は、ダウンリンク送信の例として考慮されてよい。
【００５３】
あるいは、ＤＣＩ内の反復インデックスフィールドを含むのではなく、使用すべき反復の数を指示するフィールドは、５ビットフィールド「変調および符号化方式ならびに冗長バージョン」内に埋め込まれてよい。このＭＣＳおよび冗長バージョンフィールドは、例えば、ＬＣ／ＣＥのＵＥのために修正されてよい。１つまたは複数の実施形態によれば、この埋込みは、上述のように、別々の反復インデックスを含むことより比較的小さいＤＣＩを伴ってよい。この埋込みは、同じサイズの５ビットフィールドが変調と符号化方式の両方、および反復情報を搬送するために使用されることを可能にする。
【００５４】
いくつかの実施形態は、１０００ビットより多くのＴＢＳを受信することを要求されないことがあるＬＣ／ＣＥのＵＥを含んでよい。それに応じて、普通のＴＢＳテーブルは、一定のＵＥに役立たないことがあるエントリを含んでよい（例えば、ＬＣ／ＣＥのＵＥは、１０００ビットより多くのＴＢＳを受信することを要求されないので、１０００ビットより大きいＴＢＳのエントリは、「空きエントリ」として考慮されてよい）。以下のテーブル４は、これらのいわゆる「空きエントリ」を含むテーブルの例である（「空きエントリ」が強調されていることに留意されたい）。テーブル４は、「空きエントリ」のあるＴＢＳテーブルを示す。適用できないインデックスを提供するのではなく、これらのインデックスは、使用すべき反復の数に関する情報を提供するために代わりに使用されてよい。異なる数字の空きエントリは、異なるＮＰＲＢに利用可能であってよいので、異なるＮＰＲＢの値は異なるＭＣＳのマッピングテーブルを要求してよい。ＭＣＳおよび冗長バージョンフィールド内に埋め込まれる、使用すべき反復の数を指示するフィールドを伴う１つの例は、テーブル５〜テーブル１０に示されたようなＭＣＳのマッピングテーブルのセットを構築することであってよい。
0006559256.tif 000005
【００５５】
１つの実施形態において、反復の数は、本明細書において固定および事前定義される。これはテーブル５〜テーブル８内で使用され、ここでトランスポートブロック送信のために使用されるＰＲＢの数は小さく、ＮＰＲＢ＝１、２、３、４である。
【００５６】
別の実施形態において、反復の数は固定されず、より高い層（例えば、ＲＲＣシグナリング）から提供される値を使用する。これはテーブル９〜テーブル１０内で使用され、ここでＴＢ送信のために使用されるＰＲＢの数はより大きく、例えば、ＮＰＲＢ＝５、６である。具体的には、より高い層に提供された反復の数は、ＬＣ／ＣＥのＵＥの物理ダウンリンク制御チャネル（ＰＤＣＣＨ）に提供される反復レベルのセットを再使用してよい。｛Ｎｒｅｐ，ＥＰＤＣＣＨ，０，Ｎｒｅｐ，ＥＰＤＣＣＨ，１，Ｎｒｅｐ，ＥＰＤＣＣＨ，２，Ｎｒｅｐ，ＥＰＤＣＣＨ，３｝を、例えば、所与のＵＥのＥＰＤＣＣＨのために設定されるサブフレームに渡る反復の数であるとする。ＭＴＣ  ＵＥのＰＤＳＣＨに対するＭＣＳテーブルは、特定の制御チャネル、例えば、ＥＰＤＣＣＨの反復レベルを利用して規定されてよい。１つまたは複数の実施形態は、ＰＤＳＣＨに対する反復レベルのセットを、ＥＰＤＣＣＨのＮｒｅｐ，ＥＰＤＣＣＨ，ｉを介さずに具体的に規定してよいことに留意されたい。
【００５７】
そのテーブルにおいて、ＭＣＳインデックスＩＭＣＳの例のうちのいくつかは、｛ＩＴＢＳ，Ｎｒｅｐ，ｐｄｓｃｈ｝の組合せにマップされ、ここでＩＴＢＳは、送信ブロックサイズを探索するために使用され、Ｎｒｅｐ，ｐｄｓｃｈは、ＰＤＳＣＨ送信を、反復／バンドリングを介して搬送するために使用されるサブフレームの数である。例えば、テーブル６において、ＩＭＣＳ＝２６は、変調次数Ｑｍ＝２（すなわち、ＱＰＳＫ）、および｛ＩＴＢＳ＝２，Ｎｒｅｐ，ｐｄｓｃｈ＝４｝の組合せを使用して指示する。いくつかの例において、ＴＢＳインデックスＩＴＢＳを指示するために以前に使用されたフィールドは、ＴＢＳインデックスと反復の数の両方を指示する。いくつかの例において、ＴＢＳインデックスＩＴＢＳを指示するために以前に使用されたフィールドは、反復だけの数を指示する。
【００５８】
テーブル５〜テーブル１０において、それぞれのテーブルは予備のエントリを収める。予備の値は、ＰＤＳＣＨの再送信中に使用されてよく、ここでそれらは、ＰＤＳＣＨの再送信が使用すべき時間を跨る反復／バンドリングの数を規定してよい。テーブル５は、ＮＰＲＢ＝１に対するＭＣＳテーブルを示す。例えば、テーブル５において、ＩＭＣＳ＝３０は、ＰＤＳＣＨの再送信に対して、変調次数が２（すなわち、ＱＰＳＫ）であり、サブフレームに渡る反復／バンドリングの数は、Ｎｒｅｐ，ｐｄｓｃｈ＝４である（すなわち、４つのサブフレームが所与の送信ブロックの再送信の際に使用されてよい）ことを指示してよい。本開示の例は、ＭＣＳインデックス２７から３１に対応するＴＢＳインデックス値に関してテーブル５、ＭＣＳインデックス２２から３１に対応するＴＢＳインデックス値に関してテーブル６、ＭＣＳインデックス１７から３１に対応するＴＢＳインデックス値に関してテーブル７、ＭＣＳインデックス１４から３１に対応するＴＢＳインデックス値に関してテーブル８、ＭＣＳインデックス１２から３１に対応するＴＢＳインデックス値に関してテーブル９、ＭＣＳインデックス１０から３１に対応するＴＢＳインデックス値に関してテーブル１０において見られる。テーブル６は、ＮＰＲＢ＝２に対するＭＣＳテーブルを示す。テーブル７は、ＮＰＲＢ＝３に対するＭＣＳテーブルを示す。テーブル８は、ＮＰＲＢ＝４に対するＭＣＳテーブルを示す。テーブル９は、ＮＰＲＢ＝５に対するＭＣＳテーブルを示す。テーブル１０は、ＮＰＲＢ＝６に対するＭＣＳテーブルを示す。
【００５９】
ＴＢＳインデックス値はこれらのフィールドに従来割り当てられるが、対応するトランスポートブロックサイズは、使用可能で反復情報を搬送（または加えて搬送）するために再使用され得るものを超過することが理解されてきた。
【００６０】
テーブル５〜テーブル１０に関して、ＩＴＢＳ＝９およびＩＴＢＳ＝１５は、例えば、レガシーシステム内のように２回ではなく、それぞれのテーブル内に１回現れるだけである。これは、｛ＩＴＢＳ＝２，Ｎｒｅｐ，ｐｄｓｃｈ＝４｝の組合せを指示するために使用できる値の数を増加するために適用されてよい。
0006559256.tif 000006
0006559256.tif 000007
0006559256.tif 000008
0006559256.tif 000009
0006559256.tif 000010
0006559256.tif 000011
【００６１】
さらに、１つまたは複数の実施形態は、図２に描写されたハードウェア例を含んでよい。通信デバイス１００は、メモリ回路８１０および通信回路８６０に、例えば、１つまたは複数のバスを介して通信連結された処理回路８２０を含む。処理回路８２０は、１つまたは複数のマイクロプロセッサ、マイクロコントローラ、ハードウェア回路、ディスクリートロジック回路、ハードウェアレジスタ、デジタル信号プロセッサ（ＤＳＰ）、フィールドプログラマブルゲートアレイ（ＦＰＧＡ）、特定用途向け集積回路（ＡＳＩＣ）、またはそれらの組合せを含んでよい。例えば、処理回路は、マシン可読コンピュータプログラム８５０としてメモリ回路８１０内に格納された機械語命令を実行できるプログラマブルハードウェアであってよい。様々な実施形態のメモリ回路８１０は、当技術分野で知られた、または開発され得る任意の非一時的マシン可読媒体を含むことがあり、磁気媒体（例えば、フロッピーディスク、ハードディスクドライブ、他）、光学媒体（例えば、ＣＤ−ＲＯＭ、ＤＶＤ−ＲＯＭ、他）、半導体媒体（例えば、ＳＲＡＭ、ＤＲＡＭ、ＤＤＲＡＭ、ＲＯＭ、ＰＲＯＭ、ＥＰＲＯＭ、フラッシュメモリ、半導体ディスク、他）、または同様のものを含むが限定されない。
【００６２】
通信回路８６０は、ワイヤレス通信をワイヤレス通信ネットワークで送信および受信するように設定されてよい。例えば、通信回路８６０は送受信機であってよい。実施形態によれば、通信回路８６０は、別個の出力回路８３０および入力回路８４０を含んでよい。出力回路８３０は、通信信号をワイヤレス通信ネットワークで送信するように設定されてよい。例えば、出力回路８３０は送信機であってよい。入力回路８４０は、通信信号をワイヤレス通信ネットワークで受信するように設定されてよい。例えば、入力回路８４０は受信機であってよい。別個の個々の構成要素として実装されるとき、出力回路８３０および入力回路８４０は互いに通信連結されてよく、または処理回路８２０を介して互いに通信してよい。
【００６３】
１つの実施形態によれば、処理回路８２０は、トランスポートブロックを反復またはバンドリングを介して搬送するために使用されるサブフレームの数を決定すること、およびトランスポートブロックを決定されたサブフレームの数に従って復号することを行うように設定される。
【００６４】
異なる実施形態によれば、処理回路８２０は、通信回路８６０を介して、トランスポートブロックを、複数のサブフレームに渡る反復またはバンドリングを介して送信すること、および通信回路８６０を介して、トランスポートブロックを復号するためにダウンリンク制御情報（ＤＣＩ）を送信することを行うように設定される。
【００６５】
図３は、複数のサブフレームに渡るダウンリンク送信を受信するために通信デバイスによって実施される方法９００を示す。いくつかの例において、通信デバイスはユーザ機器である。方法９００は、９０１において、反復インデックスを含む制御情報を受信することを含む。
【００６６】
方法９００は、複数のセットのうちの１つを指示するためのセット指標を受信すること９０２をさらに含む。それぞれのセットは複数のサブフレームの値を備える。
【００６７】
いくつかの例において、方法の態様９０１、９０２は、任意の順序で実施されてよい。いくつかの例において、セット指標を受信すること９０２は、反復インデックスを受信すること９０１とは別でよい。いくつかの例において、セット指標を受信すること９０２は、セット指標のシグナリングを受信することを含み、セット指標のシグナリングを受信することは、反復インデックスを受信すること９０１より頻度が少ない。
【００６８】
いくつかの例において、セット指標を受信すること９０２は、セット指標をより高い層のシグナリングから受信することを含む。いくつかの例において、セット指標のより高い層のシグナリングは、ＲＲＣシグナリングである。
【００６９】
９０３において、ダウンリンク送信を搬送するために使用されるサブフレームの数は、前記サブフレームの値によって指示され、前記サブフレームの値は、指示されたセット内部の反復インデックスによって指示される。
【００７０】
いくつかの例において、９０３において、通信デバイスは、指示されたセット内部の反復インデックスによって指示される指示されたサブフレームの値からサブフレームの数を決定する。いくつかの例において、セットおよび反復インデックスによって識別されるサブフレームの値は、ダウンリンク送信（例えば、ＰＤＳＣＨ送信）が受信されるサブフレームの数である。いくつかの態様において、９０３は反復インデックスを使用してサブフレームの値のうちの１つを指示されたセットから選択することとして考慮されてよい。選択されたサブフレームの値は、ダウンリンク送信を搬送するために使用されるサブフレームの数を指示する。いくつかの態様において、サブフレームの数は反復インデックスによって決定されるものとして考慮されてよい。
【００７１】
いくつかの例において、方法９００は任意選択で、ダウンリンク送信を、信号で送られたサブフレームの数に従って受信すること９０４を含む。
【００７２】
図４は、複数のサブフレームに渡るダウンリンク送信を送信するための通信デバイスにおける方法９５０を示す。いくつかの例において、通信デバイスは基地局、例えば、ｅＮＢである。方法９５０は、反復インデックスを含む制御情報を送信すること９５１を含む。方法９５０は、複数のセットのうちの１つを指示するためのセット指標を送信すること９５２をさらに含む。それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【００７３】
いくつかの例において、方法９５０は任意選択で、ダウンリンク送信を、信号で送られたサブフレームの数に従って送信すること９５３を含む。
【００７４】
いくつかの態様において、反復インデックスは、サブフレームの値のうちの１つを、指示されたセットから選択するためのものであり、選択されたサブフレームの値は、ダウンリンク送信を搬送するために使用されるサブフレームの数を指示する。
【００７５】
いくつかの例において、セット指標を送信すること９５２は、反復インデックスを送信すること９５１とは別である。いくつかの例において、セット指標を送信すること９５２は、セット指標のシグナリングを、反復インデックスを送信すること９５１より少ない頻度で送信することを含む。いくつかの例において、セット指標を送信すること９５２は、セット指標を、より高い層のシグナリングとして送信することを含む。
【００７６】
いくつかの例において、制御情報を送信すること９５１は、変調および符号化方式を指示することを含む第１のフィールドを送信することを含み、第２のフィールドは、反復インデックスを含む。
【００７７】
省略形
３ＧＰＰ  第３世代パートナーシッププロジェクト
ＢＷ  帯域幅
ＤＬ  ダウンリンク
ＤＣＩ  ダウンリンク制御情報
ｅＮＢ  エボルブドノードＢ
ＦＤＤ  周波数分割複信
ＬＴＥ  ロングタームエボリューション
ＭＴＣ  マシン型通信
ＥＰＤＣＣＨ  拡張物理ダウンリンク制御チャネル
ＰＤＳＣＨ  物理ダウンリンク共有チャネル
ＰＤＣＣＨ  物理ダウンリンク制御チャネル
ＰＲＢ  物理リソースブロック
ＰＵＣＣＨ  物理アップリンク制御チャネル
ＰＵＳＣＨ  物理アップリンク共有チャネル
ＲＢ  リソースブロック
ＴＤＤ  時分割複信
ＵＥ  ユーザ機器
ＵＬ  アップリンク
ＲＲＣ  無線リソース制御
【００７８】
本発明は、もちろん本発明の本質的な特徴から逸脱することなく本明細書で具体的に示されたもの以外の他の方式で行われてよい。本実施形態は、例証となるものであり限定的ではないものとしてすべての点で考慮されるべきである。
【００７９】
当業者は、本明細書における実施形態が、ワイヤレス通信ネットワーク内の通信デバイス（例えば、低コストまたはカバレッジ拡張型のＭＴＣデバイス）によって実装される方法を一般に含むことを理解するであろう。方法は、（例えば、デバイスによってＬＴＥネットワーク内のＰＤＳＣＨで受信される）トランスポートブロックを復号するためのものである。方法は、トランスポートブロックを反復またはバンドリングを介して搬送するために使用されるサブフレームの数を決定すること、ならびにトランスポートブロックを決定されたサブフレームの数に従って、例えば、変調および符号化方式（ＭＣＳ）とトランスポートブロックに対するトランスポートブロックサイズ（ＴＢＳ）を、決定されたサブフレームの数に従って決定することによって復号することを含んでよい。
【００８０】
少なくともいくつかの実施形態において、これは、ダウンリンク制御情報（ＤＣＩ）を制御チャネルで受信すること（例えば、ＬＴＥのＤＣＩをＬＴＥにおけるＥＰＤＣＣＨで受信すること）、およびトランスポートブロックを反復またはバンドリングを介して搬送するために使用されるサブフレームの数を、受信された情報に基づいて決定することを要する。
【００８１】
１つまたは複数の実施形態において、例えば、サブフレームの数をＤＣＩに基づいて決定することは、ＤＣＩ内部の（例えば、「サブフレームのインデックス」と呼ばれる）インデックスまたはフィールドを使用して、トランスポートブロックを反復またはバンドリングを介して搬送するために使用されるサブフレームの数を指示するサブフレームのテーブルを参照することを含む。いくつかの態様において、ＤＣＩフィールドは、サブフレームに渡る反復またはバンドリングのための指標を提供する。少なくとも１つの実施形態において、デバイスは、シグナリング（例えば、ＲＲＣシグナリング）をワイヤレス通信ネットワークを介して受信し、シグナリングは、トランスポートブロックを反復またはバンドリングを介して搬送するために使用される複数の潜在的な数のサブフレーム（例えば、セット）を指示するサブフレームの値のセットを含み、サブフレームのテーブルを、シグナリングを介して受信されるサブフレームの値のセットで埋める。このケースでは、サブフレームのインデックスを使用してサブフレームのテーブルを参照することは、サブフレームのインデックスを使用してサブフレームのテーブル内部のサブフレームの値のセットのうちの１つを選択することを含む。
【００８２】
１つまたは複数の実施形態において、したがって、サブフレームのテーブルは、異なるタイプのデバイスに対し、異なるデバイスの異なるコストもしくはカバレッジ要件、またはその任意の組合せに対して、異なる時間におけるサブフレームの値の異なるセットで動的に埋められてよい。
【００８３】
いくつかの実施形態において、シグナリングはサブフレームの値のセットを明示的に指示する。あるいは、シグナリングはセットを暗黙のうちに指示することがある。例えば、１つの実施形態において、シグナリングは、ＬＴＥにおける拡張物理ダウンリンク制御チャネルなどの異なるチャネルの反復レベルに固有の制御情報である。このケースでは、トランスポートブロックを受信するのに適用可能な反復レベルは、異なる送信を受信するための反復レベルから暗示されるか、または反復レベルを継承する。
【００８４】
上述のような専用のサブフレームのインデックスおよびサブフレームのテーブルを使用する代わりに、本明細書における１つまたは複数の他の実施形態は、変調次数のそれぞれを指示するＭＣＳテーブル、トランスポートブロックサイズのインデックス、および／またはサブフレームの数を参照するために、ＤＣＩ内部の変調および符号化方式（ＭＣＳ）インデックスを使用してサブフレームの数を決定することを要する。例えば、ＭＣＳテーブル内の１つまたは複数のＭＣＳインデックスは、変調次数、ＴＢＳインデックス、およびサブフレームの数の一定の組合せに対してマップされてよい。少なくともいくつかの実施形態において、ＭＣＳテーブル内のＭＣＳインデックスの一部だけがこのような組合せに対してマップされるが、ＭＣＳインデックスのその他は、変調次数およびＴＢＳインデックスの一定の組合せに対して（サブフレームの数を指示することなく）ただマップされるだけである。サブフレームの数を含む組合せに対してマップされるＭＣＳインデックスの一部は、例えば、ネットワーク内のいくつかのデバイスに、またはいくつかの状況に適用可能であるか、もしくは必要であるが、このデバイスに、または現行の状況下では特に適用可能ではないか、もしくは必要ではないインデックスを含んでよい。いくつかの例において、ＭＣＳインデックスは、ＤＣＩ内で送信および受信され、ＭＣＳインデックスは複数の可能な値を有する。ＭＣＳインデックスの１つまたは複数の値は、変調次数およびトランスポートブロックサイズだけを指示する（すなわち、サブフレームに渡る反復またはバンドリングを指示しない）。ＭＣＳインデックスの異なる１つまたは複数の値は、サブフレームに渡る反復またはバンドリングを指示する。いくつかの態様において、ＭＣＳインデックス値は変調次数も指示する。任意選択で、ＭＣＳインデックス値はトランスポートブロックサイズも指示する。サブフレームに渡る反復またはバンドリングを指示するために使用されるＭＣＳインデックス値は、閾値（例えば、１０００）を越えるトランスポートブロックサイズに対応することがあり、例えば、説明されたような一定のタイプの通信内で使用されないものとして識別される。したがって、単一のＭＣＳインデックス値（５ビット）は、変調次数、トランスポートブロックサイズを指示することができ、値の一部のみにおいて、サブフレームに渡る反復またはバンドリングの数を指示する。いくつかの態様において、トランスポートブロックサイズは、ＰＲＢの数と関連付けて規定されてよい。ＭＣＳインデックスは、サブフレームに渡る反復またはバンドリングをＰＲＢの数と関連付けて指示してよい。
【００８５】
本明細書における実施形態は、ワイヤレス通信ネットワーク内の通信デバイス（例えば、基地局、例えば、ｅＮＢ）によって実装されるトランスポートブロックを符号化するための方法も含む。方法は、トランスポートブロックを、複数のサブフレームに渡って、反復またはバンドリングを介して（例えば、ＬＴＥにおけるＰＤＳＣＨで）送信することを含む。方法は、トランスポートブロックが反復またはバンドリングを介して送信されるサブフレームの数および／または潜在的な数のサブフレームのセットを指示するトランスポートブロックを復号するために、シグナリングを（例えば、ＲＲＣシグナリングとして、またはＬＴＥにおけるＥＰＤＣＣＨで）送信することも要する。トランスポートブロックが反復またはバンドリングを介して送信されるサブフレームの数を指示する送信されたシグナリングは、任意の例において説明されたようなものであってよい。
【００８６】
いくつかの実施形態において、シグナリングを送信することは、ダウンリンク制御情報（ＤＣＩ）内部のサブフレームのインデックスを送信することを含む。このサブフレームのインデックス（またはフィールド）は、サブフレームのテーブルへの参照として使用されるとき、複数のサブフレーム内のサブフレームの数を指示する。
【００８７】
あるいはまたは加えて、シグナリングは、トランスポートブロックを反復またはバンドリングを介して搬送するために使用される複数の潜在的な数のサブフレームを指示するサブフレームの値のセットを指示してよい。このケースでは、シグナリング内のサブフレームのインデックスは、サブフレームの値のセットのうちの１つを指示してよい。
【００８８】
いくつかの実施形態において、シグナリングを送信することは、シグナリングを、拡張物理ダウンリンク制御チャネルの反復レベルに固有の制御情報を介して送信することを含む。
【００８９】
あるいはまたは加えて、ＤＣＩを送信することは、ＭＣＳインデックスがＭＣＳテーブルへの参照として使用されるとき、変調次数、トランスポートブロックサイズのインデックス、および複数のサブフレーム内のサブフレームの数のそれぞれを指示する、ＤＣＩ内部の変調および符号化方式（ＭＣＳ）インデックスを送信することを含む。
【００９０】
本明細書における１つまたは複数の実施形態は、対応する通信デバイス、コンピュータプログラム、およびコンピュータプログラム製品も含む。
【００９１】
通信デバイスは、例えば、ワイヤレス通信を送信および受信するように設定された通信回路、ならびに通信回路に通信連結された処理回路を含んでよい。処理回路は、トランスポートブロックを反復またはバンドリングを介して搬送するために使用されるサブフレームの数を決定すること、およびトランスポートブロックを決定されたサブフレームの数に従って復号することを行うように設定されてよい。デバイスは上述のように別の方法で設定されてよい。
【００９２】
他の実施形態による通信デバイスは、ワイヤレス通信を送信および受信するように設定された通信回路、ならびに通信回路に通信連結された処理回路を含む。処理回路は、通信回路を介して、トランスポートブロックを、反復またはバンドリングを介して、複数のサブフレームに渡って送信すること、および通信回路を介して、シグナリングを、トランスポートブロックを復号するために送信することを行うように設定される。デバイスは上述のように別の方法で設定されてよい。
【００９３】
コンピュータプログラムは、デバイスの少なくとも１つのプロセッサによって実行されるとき、デバイスに本明細書における方法のいずれかを行わせる命令を含む。
【００９４】
キャリアは上記のコンピュータプログラムを収め、キャリアは、電子信号、光信号、無線信号、またはコンピュータ可読ストレージ媒体のうちの１つである。
【００９５】
本開示の態様は、通信デバイスによって、複数のサブフレームに渡るダウンリンク送信を受信するために実施される方法を提供する。方法は、反復インデックスを含む制御情報を受信すること、および複数のセットのうちの１つを指示するためのセット指標を受信することを含み、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。このように、ダウンリンク送信は複数のサブフレームで受信されてよい。
【００９６】
いくつかの例において、ダウンリンク送信は、物理ダウンリンク共有チャネル（ＰＤＳＣＨ）上にあり、またはダウンリンク送信は、トランスポートブロックである。いくつかの例において、サブフレームの値は、ダウンリンク送信を反復またはバンドリングを介して搬送するために使用されるサブフレームの数を指示する。いくつかの例において、方法は、反復インデックスを受信することとは別にセット指標を受信することをさらに含む。いくつかの例において、セット指標を受信することは、セット指標のシグナリングを受信することを含み、セット指標のシグナリングを受信することは、反復インデックスを受信することより頻度が少ない。いくつかの例において、セット指標を受信することは、セット指標をより高い層のシグナリングから受信することを含む。いくつかの例において、セット指標のより高い層のシグナリングは、ＲＲＣシグナリングである。
【００９７】
いくつかの例において、制御情報は、変調および符号化方式を指示することを含む第１のフィールド、ならびに反復インデックスを含む第２のフィールドを含む。いくつかの例において、制御情報は、ダウンリンク制御情報（ＤＣＩ）である。いくつかの例において、通信デバイスは、低減された無線周波数（ＲＦ）帯域幅で送信および／もしくは受信し、または通信デバイスは、低コスト（ＬＣ）もしくはカバレッジ拡張型（ＣＥ）の通信デバイスである。いくつかの例において、方法は、ダウンリンク送信を、ダウンリンク送信を搬送するために使用されるサブフレームの数に従って復号することをさらに含む。
【００９８】
本開示のさらなる態様は、ワイヤレス通信を送信および受信するように設定された通信回路、ならびに通信回路に通信連結された処理回路を含む通信デバイスを提供する。通信回路および処理回路は、複数のサブフレームに渡るダウンリンク送信を、反復インデックスを含む制御情報を受信すること、および複数のセットのうちの１つを指示するためのセット指標を受信することによって受信するように設定され、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【００９９】
いくつかの例において、通信回路および処理回路は、ダウンリンク送信を物理ダウンリンク共有チャネル（ＰＤＳＣＨ）上で受信するように設定され、またはダウンリンク送信は、トランスポートブロックである。いくつかの例において、サブフレームの値は、ダウンリンク送信を反復またはバンドリングを介して搬送するために使用されるサブフレームの数を指示する。いくつかの例において、制御情報は、ダウンリンク制御情報（ＤＣＩ）である。
【０１００】
いくつかの例において、通信回路は、反復インデックスとは別にセット指標を受信するように設定される。いくつかの例において、通信回路は、セット指標を反復インデックスより少ない頻度で受信するように設定される。いくつかの例において、通信回路および処理回路は、セット指標をより高い層のシグナリングから受信するように設定される。いくつかの例において、セット指標のより高い層のシグナリングは、ＲＲＣシグナリングである。いくつかの例において、通信回路は、変調および符号化方式を指示することを含む第１のフィールド、ならびに反復インデックスを含む第２のフィールドを含む制御情報を受信するように設定される。いくつかの例において、制御情報はダウンリンク制御情報（ＤＣＩ）である。
【０１０１】
いくつかの例において、通信回路は、低減された無線周波数（ＲＦ）帯域幅で送信および／もしくは受信するように設定され、または通信デバイスは、低コスト（ＬＣ）もしくはカバレッジ拡張型（ＣＥ）の通信デバイスである。いくつかの例において、処理回路は、ダウンリンク送信を、ダウンリンク送信を搬送するために使用されるサブフレームの数に従って復号するように設定される。
【０１０２】
本開示のさらなる態様は、通信デバイスにおいて、複数のサブフレームに渡るダウンリンク送信を送信するための方法を提供する。方法は、反復インデックスを含む制御情報を送信すること、および複数のセットのうちの１つを指示するためのセット指標を送信することを含み、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【０１０３】
いくつかの例において、通信デバイスは基地局である。いくつかの例において、方法は、反復インデックスを送信することとは別にセット指標を送信することをさらに含む。いくつかの例において、セット指標を送信することは、セット指標のシグナリングを、反復インデックスを送信することより少ない頻度で送信することを含む。
【０１０４】
いくつかの例において、セット指標を送信することは、セット指標をより高い層のシグナリングとして送信することを含む。いくつかの例において、制御情報を送信することは、変調および符号化方式を指示することを含む第１のフィールド、ならびに反復インデックスを含む第２のフィールドを送信することを含む。
【０１０５】
いくつかの例において、ダウンリンク送信は、物理ダウンリンク共有チャネル（ＰＤＳＣＨ）上にあり、またはダウンリンク送信は、トランスポートブロックである。いくつかの例において、サブフレームの値は、ダウンリンク送信を反復またはバンドリングを介して搬送するために使用されるサブフレームの数を指示する。いくつかの例において、セット指標のより高い層のシグナリングは、ＲＲＣシグナリングである。いくつかの例において、制御情報はダウンリンク制御情報（ＤＣＩ）である。いくつかの例において、通信デバイスは、低減された無線周波数（ＲＦ）帯域幅で送信および／もしくは受信し、または通信デバイスは、低コスト（ＬＣ）もしくはカバレッジ拡張型（ＣＥ）の通信デバイスと通信する。
【０１０６】
本開示のさらなる態様は、ワイヤレス通信を送信および受信するように設定された通信回路、ならびに通信回路に通信連結された処理回路を含む通信デバイスを提供する。処理回路は、通信回路を介して、複数のサブフレームに渡るダウンリンク送信を送信すること、ならびに通信回路を介して、反復インデックスを含む制御情報および複数のセットのうちの１つを指示するためのセット指標を含むシグナリングを送信することを行うように設定され、それぞれのセットは複数のサブフレームの値を含む。ダウンリンク送信を搬送するために使用されるサブフレームの数は、前記サブフレームの値によって指示され、前記サブフレームの値は、指示されたセット内部の反復インデックスによって指示される。
【０１０７】
いくつかの例において、通信デバイスは基地局である。いくつかの例において、処理回路は、反復インデックスとは別にセット指標を送信するように設定される。いくつかの例において、処理回路は、セット指標を含むシグナリングを、反復インデックスを含むシグナリングを送信することより少ない頻度で送信するように設定される。いくつかの例において、処理回路は、セット指標をより高い層のシグナリングとして送信するように設定される。いくつかの例において、処理回路は、変調および符号化方式を指示することを含む第１のフィールドを含む制御情報、ならびに反復インデックスを含む第２のフィールドを送信するように設定される。
【０１０８】
いくつかの例において、通信回路は、ダウンリンク送信を物理ダウンリンク共有チャネル（ＰＤＳＣＨ）上で送信するように設定され、またはダウンリンク送信は、トランスポートブロックである。いくつかの例において、サブフレームの値は、ダウンリンク送信を反復またはバンドリングを介して搬送するために使用されるサブフレームの数を指示する。いくつかの例において、セット指標のより高い層のシグナリングは、ＲＲＣシグナリングである。
【０１０９】
いくつかの例において、制御情報はダウンリンク制御情報（ＤＣＩ）である。いくつかの例において、通信デバイスは、低減された無線周波数（ＲＦ）帯域幅で送信および／もしくは受信し、または通信デバイスは、低コスト（ＬＣ）もしくはカバレッジ拡張型（ＣＥ）の通信デバイスと通信する。
【０１１０】
本開示のさらなる態様は、デバイスの少なくとも１つのプロセッサによって実行されるとき、デバイスに、例において説明されたような方法を行わせる命令を含むコンピュータプログラムを提供する。
【０１１１】
本開示のさらなる態様は、任意の例において説明されたようなコンピュータプログラムを収めるキャリアを提供し、キャリアは、電子信号、光信号、無線信号、またはコンピュータ可読ストレージ媒体のうちの１つである。
【０１１２】
いくつかの態様において、通信デバイスによって、複数のサブフレームに渡るダウンリンク送信を受信するために実施される方法は、変調および符号化方式（ＭＣＳ）インデックスを含む制御情報を受信することを含む。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームを指示する。
【０１１３】
いくつかの例において、ＭＣＳインデックスは、トランスポートブロックサイズのインデックス、変調次数、およびサブフレームの数のうちの少なくとも１つを指示する。
【０１１４】
いくつかの例において、ＭＣＳインデックスはＭＣＳテーブルを参照し、ＭＣＳテーブル内のＭＣＳインデックスの一部だけが少なくともサブフレームの数に対してマップされ、ＭＣＳインデックスの別の部分だけがサブフレームの数を指示することなく、トランスポートブロックサイズのインデックスに対してマップされる。
【０１１５】
いくつかの態様において、トランスポートブロックサイズは、トランスポートブロックサイズのインデックスによって、物理リソースブロック（ＰＲＢ）の数と関連付けて規定される。
【０１１６】
いくつかの態様において、サブフレームの数は、ダウンリンク送信を反復またはバンドリングを介して搬送するために使用されるサブフレームの数を指示する。
【０１１７】
いくつかの例において、ダウンリンク送信は物理ダウンリンク共有チャネル（ＰＤＳＣＨ）上にある。いくつかの例において、ダウンリンク送信はトランスポートブロックである。
【０１１８】
さらなる例は、ワイヤレス通信を送信および受信するように設定された通信回路、ならびに通信回路に通信連結された処理回路を含む通信デバイスを提供する。通信回路および処理回路は、複数のサブフレームに渡るダウンリンク送信を、変調および符号化方式（ＭＣＳ）インデックスを含む制御情報を受信することによって受信するように設定される。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームの数を指示する。
【０１１９】
この例では、通信デバイスはユーザ機器であってよい。
【０１２０】
さらなる例は、ワイヤレス通信を送信および受信するように設定された通信回路、ならびに通信回路に通信連結された処理回路を含む通信デバイスを提供する。処理回路は、通信回路を介して複数のサブフレームに渡るダウンリンク送信を送信すること、ならびに通信回路を介して、変調および符号化方式（ＭＣＳ）インデックスを含む制御情報を含むシグナリングを送信することを行うように設定される。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームの数を指示する。
【０１２１】
さらなる例は、通信デバイスにおいて、複数のサブフレームに渡るダウンリンク送信を送信するための方法を提供し、変調および符号化方式（ＭＣＳ）インデックスを含む制御情報を送信することを含む。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームの数を指示する。
【０１２２】
この例では、通信デバイスは基地局であってよい。
【０１２３】
いくつかの例において、ＭＣＳインデックスは、トランスポートブロックサイズのインデックス、変調次数、およびサブフレームの数のうちの少なくとも１つを指示する。
【０１２４】
いくつかの例において、ＭＣＳインデックスはＭＣＳテーブルを参照し、ＭＣＳテーブル内のＭＣＳインデックスの一部だけが少なくともサブフレームの数に対してマップされ、ＭＣＳインデックスの別の部分だけがサブフレームの数を指示することなくトランスポートブロックサイズのインデックスに対してマップされる。
【０１２５】
いくつかの態様において、トランスポートブロックサイズは、トランスポートブロックサイズのインデックスによって、物理リソースブロック（ＰＲＢ）の数と関連付けて規定される。
【０１２６】
いくつかの態様において、サブフレームの数は、ダウンリンク送信を反復またはバンドリングを介して搬送するために使用されるサブフレームの数を指示する。
【０１２７】
いくつかの例において、ダウンリンク送信は、物理ダウンリンク共有チャネル（ＰＤＳＣＨ）上にある。いくつかの例において、ダウンリンク送信はトランスポートブロックである。
【０１２８】
図５は、通信デバイスによって、複数のサブフレームに渡るダウンリンク送信を受信するために実施される方法９７０を示す。いくつかの例において、通信デバイスはユーザ機器である。方法９７０は、９７１において、変調および符号化方式（ＭＣＳ）インデックスを含む制御情報を受信することを含む。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームの数を指示する。
【０１２９】
任意選択で、９７２において、通信デバイスはサブフレームの数を使用して送信を復号する。
【０１３０】
図６は、通信デバイスにおいて、複数のサブフレームに渡るダウンリンク送信を送信するための方法９８０を示す。いくつかの例において、通信デバイスは、基地局、例えば、ｅＮＢである。方法９８０は、変調および符号化方式（ＭＣＳ）インデックスを含む制御情報を送信すること９８１を含む。ＭＣＳインデックスは、トランスポートブロックサイズのインデックスおよびサブフレームの数（あるいは、サブフレームの値と称される）のうちの少なくとも１つを指示する。当該サブフレームの数は、ダウンリンク送信を搬送するために使用されるサブフレームの数を指示する。
【０１３１】
いくつかの例において、方法９８０は、任意選択で、ダウンリンク送信を、信号で送られたサブフレームの数に従って送信すること９８２を含む。
【０１３２】
本開示のさらなる態様は、通信デバイスによって、複数のサブフレームに渡るダウンリンク送信を受信するために実施される方法を提供する。方法は、反復インデックスを含む制御情報を受信すること、および複数のセットのうちの１つを指示するためのセット指標を受信することを含み、それぞれのセットは複数のサブフレームの値を含む。反復インデックスは、サブフレームの値のうちの１つを指示されたセットから選択するためのものであり、選択されたサブフレームの値は、ダウンリンク送信を搬送するために使用されるサブフレームの数を指示する。本開示の態様は、対応する送信を、例えば、基地局のような通信デバイス、および任意の例による通信デバイスによって提供してよい。
【０１３３】
いくつかの例において、セット指標を受信することは、セット指標を取得することとして考慮されてよい。いくつかの態様において、本開示は、セット指標を受信または取得することに関係なく規定されてよい。セット指標は、通信デバイスによって、セット指標を受信または取得することに関係なく使用されてよい。
【図１】
0006559256.tif 000012
【図２】
0006559256.tif 000013
【図３】
0006559256.tif 000014
【図４】
0006559256.tif 000015
【図５】
0006559256.tif 000016
【図６】
0006559256.tif 000017